(57)【特許請求の範囲】
【請求項１】
ユーザ端末に格納される個人情報を管理する個人情報データサーバと、
ユーザ端末毎に、加入者情報と、在圏する基地局を表す情報とを対応付けて管理する加入者情報管理サーバと、
所定の事象が発生した際に、該所定の事象が発生したエリアをカバーする基地局を表す情報を取得するエリア情報取得部と、
該エリア情報取得部により取得された所定の事象が発生したエリアをカバーする基地局を表す情報に基づいて、前記加入者情報管理サーバから、前記所定の事象が発生したエリアをカバーする基地局に在圏するユーザ端末の加入者情報を取得する加入者情報取得部と、
前記個人情報データサーバにより管理される個人情報と、前記加入者情報取得部により取得された加入者情報とを照合し、該加入者情報を含む個人情報を有するユーザ端末を特定する個人情報照合部と、
該個人情報照合部により特定されたユーザ端末に、前記所定の事象が発生したエリアに、該ユーザ端末の個人情報に含まれる加入者情報を有するユーザ端末のユーザがいることを通知するメッセージ通知部と
を有する個人情報照合サーバと
を有し、
前記個人情報データサーバにより管理される個人情報は、電話帳データである、無線通信システム。
【請求項２】
請求項１に記載の無線通信システムにおいて、
前記個人情報データサーバにより管理される個人情報は、電子メールアドレスであり、
前記加入者情報管理サーバにより管理される加入者情報は、電子メールアドレスである、無線通信システム。
【請求項３】
請求項１又は２に記載の無線通信システムにおいて、
前記個人情報照合サーバは、
前記個人情報データサーバとの間で、前記個人情報に関して、同期をとる個人情報同期処理部
を有し、
前記個人情報照合部は、前記個人情報同期処理部により同期が取られた個人情報と、前記加入者情報取得部により取得された加入者情報とを照合する、無線通信システム。
【請求項４】
請求項１又は２に記載の無線通信システムにおいて、
前記個人情報照合サーバは、
前記所定の事象が発生した際に、前記個人情報データサーバから、前記個人情報を取得する個人情報取得部
を有し、
前記個人情報照合部は、前記個人情報取得部により取得された個人情報と、前記加入者情報取得部により取得された加入者情報とを照合する、無線通信システム。
【請求項５】
請求項１ないし４のいずれか１項に記載の無線通信システムにおいて、
前記エリア情報取得部は、
セルレベルで指定されたエリア、トラッキングエリアレベルで指定されたエリア、及びオペレータにより設定されるエリアの少なくとも１つにより指定されたエリアをカバーする基地局を表す情報を取得する、無線通信システム。
【請求項６】
所定の事象が発生した際に、該所定の事象が発生したエリアをカバーする基地局を表す情報を取得するエリア情報取得部と、
該エリア情報取得部により取得された所定の事象が発生したエリアをカバーする基地局を表す情報に基づいて、ユーザ端末毎に、加入者情報と、在圏する基地局を表す情報とを対応付けて管理する加入者情報管理サーバから、前記所定の事象が発生したエリアをカバーする基地局に在圏するユーザ端末の加入者情報を取得する加入者情報取得部と、
ユーザ端末に格納されるべき個人情報を管理する個人情報データサーバにより管理される個人情報と、前記加入者情報取得部により取得された加入者情報とを照合し、該加入者情報を含む個人情報を有するユーザ端末を特定する個人情報照合部と、
該個人情報照合部により特定されたユーザ端末に、前記所定の事象が発生したエリアに、該ユーザ端末の個人情報に含まれる加入者情報を有するユーザ端末のユーザがいることを通知するメッセージ通知部と
を有し、
前記個人情報データサーバにより管理される個人情報は、電話帳データである、サーバ。
【請求項７】
請求項６に記載のサーバにおいて、
前記個人情報データサーバとの間で、前記個人情報に関して、同期をとる個人情報同期処理部
を有し、
前記個人情報データサーバにより管理される個人情報は、電子メールアドレスであり、
前記加入者情報管理サーバにより管理される加入者情報は、電子メールアドレスであり、
前記個人情報照合部は、前記個人情報同期処理部により同期が取られた個人情報と、前記加入者情報取得部により取得された加入者情報とを照合する、サーバ。
【請求項８】
所定の事象が発生した際に、該所定の事象が発生したエリアをカバーする基地局を表す情報を取得するエリア情報取得ステップと、
該エリア情報取得ステップにより取得された所定の事象が発生したエリアをカバーする基地局を表す情報に基づいて、ユーザ端末毎に、加入者情報と、在圏する基地局を表す情報とを対応付けて管理する加入者情報管理サーバから、前記所定の事象が発生したエリアをカバーする基地局に在圏するユーザ端末の加入者情報を取得する加入者情報取得ステップと、
ユーザ端末に格納されるべき個人情報を管理する個人情報データサーバにより管理される個人情報と、前記加入者情報取得ステップにより取得された加入者情報とを照合し、該加入者情報を含む個人情報を有するユーザ端末を特定する個人情報照合ステップと、
該個人情報照合ステップにより特定されたユーザ端末に、前記所定の事象が発生したエリアに、該ユーザ端末の個人情報に含まれる加入者情報を有するユーザ端末のユーザがいることを通知するメッセージ通知ステップと
を実行し、
前記個人情報データサーバにより管理される個人情報は、電話帳データである個人情報照合サーバにおける、メッセージ通知方法。
【請求項９】
請求項８に記載のメッセージ通知方法において、
前記個人情報照合サーバは、
前記個人情報データサーバとの間で、前記個人情報に関して、同期をとる個人情報同期処理ステップ
を実行し、
前記個人情報データサーバにより管理される個人情報は、電子メールアドレスであり、
前記加入者情報管理サーバにより管理される加入者情報は、電子メールアドレスであり、
前記個人情報照合ステップでは、前記個人情報同期処理ステップにより同期が取られた個人情報と、前記加入者情報取得ステップにより取得された加入者情報とを照合する、メッセージ通知方法。
【発明の詳細な説明】
【技術分野】
【０００１】
本発明は、無線通信システムに関する。
【背景技術】
【０００２】
大地震などの大規模な災害が発生したときには、災害の復旧活動にあたる行政や防災機関などに加えて、多くのユーザが被災地への安否確認などに音声電話を利用する。このとき、通常時と比べて多量のトラフィックがネットワークで処理されることになる。多量のトラフィックがネットワークで処理されることにより、通信がつながりにくい状態となる。通信がつながりにくい状態となるため、通信を規制することにより、トラヒックのネットワークコントロールが実施される場合がある。トラヒックのネットワークコントロールが実施されると、被災地への安否確認が困難になる。
【０００３】
移動体交換局のシステムダウンや伝送路障害等が発生し、無線基地局制御装置との通信が不可能になった場合でも、災害発生により警察署あるいは消防署等の端末に対して連絡をとることができる技術が知られている（例えば、特許文献１参照）。
【０００４】
また、災害時における通信要求の処理において、過密状態、輻輳状態を可能な限り回避し、できるだけ多くの利用者が通信できるように許容するための技術が知られている（例えば、特許文献２参照）。
【先行技術文献】
【特許文献】
【０００５】
【特許文献１】特開２００７−２５９２０５号公報
【特許文献２】特開２００７−０５３８１６号公報
【発明の概要】
【発明が解決しようとする課題】
【０００６】
大規模な災害が発生した際に、自分の親戚、友人、知人（以下、「親戚等」という）が何処にいたのかを知るための手段は少ない。
【０００７】
例えば、出張や旅行などで、被災地付近に自分の親戚等が滞在していたとしても、そのことを実際に知るのは、ある程度の時間経過後となることが多い。
【０００８】
また、被災地付近に自分の親戚等が住んでいたとしても、災害が起きたときには、他の場所にいて、被害を受けていないこともある。しかし、電話などで確かめなければ、無事かどうかを知る手段がない。
【０００９】
本発明は、上述した点に鑑みてなされたものであり、災害が発生した際に、被災地周辺にいる親戚等を通知できる技術を提供することを目的とする。
【課題を解決するための手段】
【００１０】
上記の課題を解決するために、本無線通信システムは、
ユーザ端末に格納される個人情報を管理する個人情報データサーバと、
ユーザ端末毎に、加入者情報と、在圏する基地局を表す情報とを対応付けて管理する加入者情報管理サーバと、
所定の事象が発生した際に、該所定の事象が発生したエリアをカバーする基地局を表す情報を取得するエリア情報取得部と、
該エリア情報取得部により取得された所定の事象が発生したエリアをカバーする基地局を表す情報に基づいて、前記加入者情報管理サーバから、前記所定の事象が発生したエリアをカバーする基地局に在圏するユーザ端末の加入者情報を取得する加入者情報取得部と、
前記個人情報データサーバにより管理される個人情報と、前記加入者情報取得部により取得された加入者情報とを照合し、該加入者情報を含む個人情報を有するユーザ端末を特定する個人情報照合部と、
該個人情報照合部により特定されたユーザ端末に、前記所定の事象が発生したエリアに、該ユーザ端末の個人情報に含まれる加入者情報を有するユーザ端末のユーザがいることを通知するメッセージ通知部と
を有する個人情報照合サーバと
を有し、
前記個人情報データサーバにより管理される個人情報は、電話帳データである、無線通信システムとして達成される。
前記個人情報データサーバにより管理される個人情報は、電子メールアドレスであり、
前記加入者情報管理サーバにより管理される加入者情報は、電子メールアドレスであるようにしてもよい。
【００１１】
前記個人情報照合サーバは、
前記個人情報データサーバとの間で、前記個人情報に関して、同期をとる個人情報同期処理部
を有し、
前記個人情報照合部は、前記個人情報同期処理部により同期が取られた個人情報と、前記加入者情報取得部により取得された加入者情報とを照合するように構成してもよい。
【００１２】
前記個人情報照合サーバは、
前記所定の事象が発生した際に、前記個人情報データサーバから、前記個人情報を取得する個人情報取得部
を有し、
前記個人情報照合部は、前記個人情報取得部により取得された個人情報と、前記加入者情報取得部により取得された加入者情報とを照合するように構成してもよい。
【００１４】
前記エリア情報取得部は、
セルレベルで指定されたエリア、トラッキングエリアレベルで指定されたエリア、及びオペレータにより設定されるエリアの少なくとも１つにより指定されたエリアをカバーする基地局を表す情報を取得するように構成してもよい。
【００１５】
本サーバは、
所定の事象が発生した際に、該所定の事象が発生したエリアをカバーする基地局を表す情報を取得するエリア情報取得部と、
該エリア情報取得部により取得された所定の事象が発生したエリアをカバーする基地局を表す情報に基づいて、ユーザ端末毎に、加入者情報と、在圏する基地局を表す情報とを対応付けて管理する加入者情報管理サーバから、前記所定の事象が発生したエリアをカバーする基地局に在圏するユーザ端末の加入者情報を取得する加入者情報取得部と、
ユーザ端末に格納されるべき個人情報を管理する個人情報データサーバにより管理される個人情報と、前記加入者情報取得部により取得された加入者情報とを照合し、該加入者情報を含む個人情報を有するユーザ端末を特定する個人情報照合部と、
該個人情報照合部により特定されたユーザ端末に、前記所定の事象が発生したエリアに、該ユーザ端末の個人情報に含まれる加入者情報を有するユーザ端末のユーザがいることを通知するメッセージ通知部と
を有し、
前記個人情報データサーバにより管理される個人情報は、電話帳データである、サーバとして達成される。
前記個人情報データサーバとの間で、前記個人情報に関して、同期をとる個人情報同期処理部
を有し、
前記個人情報データサーバにより管理される個人情報は、電子メールアドレスであり、
前記加入者情報管理サーバにより管理される加入者情報は、電子メールアドレスであり、
前記個人情報照合部は、前記個人情報同期処理部により同期が取られた個人情報と、前記加入者情報取得部により取得された加入者情報とを照合するように構成してもよい。
【００１６】
また、上記無線通信システムが実行するメッセージ通知方法として構成することもできる。
【発明の効果】
【００１７】
開示の無線通信システムによれば、災害が発生した際に、被災地周辺にいる親戚等を通知できる。
【図面の簡単な説明】
【００１８】
【図１】無線通信システムの一実施例の概要を示す図である。
【図２】加入者情報と、該加入者情報に対応する在圏基地局情報との対応を表すテーブルの一実施例を示す図である。
【図３】ユーザ端末の識別子と、該ユーザ端末に格納されるＰＩＭデータとの対応を表すテーブルの一実施例を示す図である。
【図４】無線通信システムの一実施例を示す図である。
【図５】ＰＩＭデータ照合サーバの一実施例を示す図である。
【図６】ＰＩＭデータ照合サーバの一実施例を示す機能ブロック図である。
【図７】無線通信システムの動作の一実施例を示す図である。
【図８】ＰＩＭデータ照合サーバの一実施例を示す機能ブロック図である。
【図９】無線通信システムの動作の一実施例を示す図である。
【発明を実施するための形態】
【００１９】
次に、本発明を実施するための形態を、以下の実施例に基づき図面を参照しつつ説明する。
なお、実施例を説明するための全図において、同一機能を有するものは同一符号を用い、繰り返しの説明は省略する。
【００２０】
＜実施例＞
＜無線通信システム＞
図１は、無線通信システムの一実施例の概要を示す。
【００２１】
無線通信システムには、ユーザ端末１００ｎ（ｎは、ｎ＞０の整数）と、ＰＩＭ（Ｐｅｒｓｏｎａｌ  Ｉｎｆｏｒｍａｔｉｏｎ  Ｍａｎａｇｅｒ／Ｍａｎａｇｅｍｅｎｔ）データサーバ５００と、加入者情報管理サーバ６００と、ＰＩＭデータ照合サーバ７００と、災害情報管理サーバ８００とが含まれる。図１には、一例として、ｎ＝２の場合が示される。
【００２２】
ユーザ端末１００２は、加入者情報管理サーバ６００に、在圏している基地局を表す情報（以下、「在圏基地局情報」という）を通知する。ユーザ端末１００１も、加入者情報管理サーバ６００に、在圏基地局情報を通知するようにしてもよい。該在圏基地局情報には、在圏基地局情報とともに、該在圏基地局情報を通知したユーザ端末１００２の識別子、加入者の氏名、電子メールアドレス等のうち、少なくとも１つが含まれる。ユーザ端末の識別子は、電話番号であってもよい。以下、ユーザ端末の識別子、加入者の氏名、電子メールアドレス等を総称して加入者情報という。換言すれば、加入者情報には、ユーザ端末の識別子、加入者の氏名、及び電子メールアドレスの少なくとも１つが含まれる。加入者情報管理サーバ６００は、加入者情報と、該加入者情報に対応する在圏基地局情報とを対応付けて管理する。
【００２３】
図２は、加入者情報管理サーバ６００に管理される加入者情報と、該加入者情報に対応する在圏基地局情報との対応を表すテーブルの一例を示す。
【００２４】
図２に示される例では、名前「ＡＡＡ」、電話番号「０９０−１２３４−５６７８」、電子メールアドレス「○○○＠ＸＸＸ．ｎｅ．ｊｐ」である加入者情報と、在圏基地局「ααα」とが対応付けて格納されている。
【００２５】
ＰＩＭデータサーバ５００は、ユーザ端末１００１に格納されたＰＩＭデータを管理する。該ＰＩＭデータには、個人情報が含まれる。ＰＩＭデータサーバ５００は、ユーザ端末１００２に格納されたＰＩＭデータを管理するようにしてもよい。ユーザがユーザ端末１００１を操作することにより、ＰＩＭデータサーバ５００に、ＰＩＭデータが送信されるようにしてもよい。ＰＩＭデータサーバ５００は、ＰＩＭデータと、該ＰＩＭデータを通知したユーザ端末を表す情報とを対応付けて管理する。図１には、ＰＩＭデータの一例として、電話帳データが示される。電話帳には、氏名、電話番号、電子メールのアドレス等が含まれる。図１に示されるユーザ端末１００１の電話帳には、名前「ＡＡＡ」、電話番号「０９０−１２３４−５６７８」、メール「○○○＠ＸＸＸ．ｎｅ．ｊｐ」である親戚等と、名前「ＢＢＢ」、電話番号「０９０−１２３４−０１２３」、メール「ＸＸＸ＠ＸＸＸ．ｎｅ．ｊｐ」である親戚等とが含まれる。
【００２６】
図３は、ＰＩＭデータサーバ５００に管理されるユーザ端末の識別子と、該ユーザ端末に格納されるＰＩＭデータとの対応を表すテーブルの一例を示す。
【００２７】
図３に示される例では、ユーザ端末の識別子「０９０−４３２１−５６７８」と、該ユーザ端末に格納されるＰＩＭデータに含まれる電話帳とが対応付けて格納されている。該電話帳には、名前「ＡＡＡ」、電話番号「０９０−１２３４−５６７８」、電子メールアドレス「○○○＠ＸＸＸ．ｎｅ．ｊｐ」であるユーザと、名前「ＢＢＢ」、電話番号「０９０−１２３４−０１２３」、電子メールアドレス「ｘｘｘ＠ＸＸＸ．ｎｅ．ｊｐ」であるユーザとが含まれる。
【００２８】
災害情報管理サーバ８００には、大規模災害が発生した際に、被災地情報が集められる。例えば、セル報知センタ(ＣＢＣ：  Ｃｅｌｌ  Ｂｒｏａｄｃａｓｔ  Ｃｅｎｔｅｒ)などからの報知情報が収集されてもよい。また、セル報知センタからの地震情報や、台風情報が収集されてもよい。また、災害情報管理サーバ８００がセル報知センタであってもよい。災害情報管理サーバ８００は、災害が発生した際に、ＰＩＭデータ照合サーバ７００に、親戚等を通知するための命令を送信するようにしてもよい。災害情報管理サーバ８００は、被災地情報を管理する。被災地情報には、被災地のエリアを表す情報が含まれる。具体的には、セルレベルで被災地のエリアが指定されてもよい。例えば、セルＩＤのリストから被災地に含まれるセルのセルＩＤが指定される。また、トラッキングエリア（ＴＡ：  Ｔｒａｃｋｉｎｇ  Ａｒｅａ）レベルで被災地のエリアが指定されてもよい。例えば、トラキングエリアの識別子のリストから被災地に含まれるトラッキングエリアのトラッキングエリア識別子が指定される。また、緊急エリア（ＥＡ：  Ｅｍｅｒｇｅｎｃｙ  Ａｒｅａ）レベルで被災地のエリアが指定されてもよい。セルレベル、トラッキングエリアレベル、及び緊急エリアレベル以外のレベルで被災地のエリアが指定されてもよい。該緊急エリアはオペレータにより設定される。例えば、緊急エリアの識別子のリストから被災地に含まれる緊急エリアの緊急エリア識別子が指定される。災害情報管理サーバ８００は、ＰＩＭデータ照合サーバ７００から被災地情報の問い合わせに応じて、被災地情報を通知する。
【００２９】
ＰＩＭデータ照合サーバ７００は、大規模災害が発生した際に、災害情報管理サーバ８００から、被災地情報を取得する。ＰＩＭデータ照合サーバ７００は、災害情報管理サーバ８００から取得した被災地情報に基づいて、被災地のエリアをカバーする基地局（以下、「被災地基地局」という）を特定する。被災地のエリアに設置されている基地局が特定されてもよい。ＰＩＭデータ照合サーバ７００は、加入者情報管理サーバ６００から、被災地基地局に在圏しているユーザ端末の加入者情報を取得する。具体的には、ユーザ端末のユーザの名前、電話番号、電子メールアドレス等のうち少なくとも１つが取得されてもよい。
【００３０】
ＰＩＭデータ照合サーバ７００は、ＰＩＭデータサーバ５００に格納されているＰＩＭデータのうち、被災地基地局に在圏しているユーザ端末の加入者情報を含むＰＩＭデータがあるかどうかを判定する。加入者情報に含まれる情報の少なくとも１つを含むＰＩＭデータがあるかどうかが判定されてもよい。ＰＩＭデータ照合サーバ７００は、ＰＩＭデータサーバ５００に格納されているＰＩＭデータのうち、被災地基地局に在圏しているユーザ端末の加入者情報に含まれる情報のうち、いずれかの情報を含むＰＩＭデータがあるかどうかを判定する。ＰＩＭデータサーバ５００に格納されているＰＩＭデータのうち、被災地基地局に在圏しているユーザ端末の加入者情報に含まれる情報のうち、いずれかの情報を含むＰＩＭデータがある場合、ＰＩＭデータ照合サーバ７００は、被災地基地局に在圏しているユーザ端末の加入者情報に含まれる情報のうち、いずれかの情報を含むＰＩＭデータを有するユーザ端末に通知する。
【００３１】
ＰＩＭデータサーバ５００に格納されているＰＩＭデータのうち、被災地基地局に在圏しているユーザ端末の加入者情報に含まれる情報のうち、いずれかの情報を含むＰＩＭデータがない場合、ＰＩＭデータ照合サーバ７００は、通知しない。被災地基地局に在圏しているユーザ端末の加入者情報に含まれる情報のうち、いずれかの情報を含むＰＩＭデータがない場合、ＰＩＭデータ照合サーバ７００は、被災地のエリアに親戚等がいないことを通知するようにしてもよい。
【００３２】
ＰＩＭデータに、被災地基地局に在圏しているユーザ端末の加入者情報が含まれる場合に、該ＰＩＭデータを格納するユーザ端末に、ＰＩＭデータに含まれる加入者情報を有するユーザ端末のユーザが被災地にいることを通知することにより、該ユーザ端末のユーザは、大規模災害発生時に、親戚等が被災地周辺にいたことを知ることができる。ＰＩＭデータに格納されるユーザは、該ＰＩＭデータを格納するユーザ端末のユーザの親戚等であることが多いためである。
【００３３】
図４は、無線通信システムの一実施例を示す。
【００３４】
図４には、第１の無線通信システム（添え字「１」により表す）と、第２の無線通信システム（添え字「２」により表す）が示される。
【００３５】
第１の無線通信システムと、第２の無線通信システムは同様のシステムであってもよいし、異なるシステムであってもよい。具体的には、同様の無線アクセス方式を有するものであってもよいし、異なる無線アクセス方式を有するものであってもよい。
【００３６】
第１の無線通信システムは、基地局２００１を有する。基地局２００１は、セル２５０１をカバーする。第１の無線通信システムは、基地局２００１よりカバーされるエリアで無線通信可能である。第１の無線通信システムは、複数の基地局を有するようにしてもよい。
【００３７】
第２の無線通信システムは、基地局２００２を有する。基地局２００２は、セル２５０２をカバーする。第２の無線通信システムは、基地局２００２によりカバーされるエリアで無線通信可能である。第２の無線通信システムは、複数の基地局を有するようにしてもよい。
【００３８】
本実施例では、一例として、第２の無線通信システムによりカバーされるエリアの少なくとも一部を含むエリアで災害が発生した場合について説明する。第１の無線通信システムによりカバーされるエリアの少なくとも一部を含むエリアで災害が発生した場合についても同様である。
【００３９】
ユーザ端末１００１は、ＰＩＭデータサーバ５００との間で、ＰＩＭデータに関して同期を取る。具体的には、ユーザ端末１００１の有するＰＩＭデータが更新された場合、該更新された情報により、ＰＩＭデータサーバ５００に含まれる、該ユーザ端末１００１のＰＩＭデータも更新される。ユーザ端末１００２も、ＰＩＭデータサーバ５００との間で、ＰＩＭデータに関して同期を取るようにしてもよい。具体的には、ユーザ端末１００２の有するＰＩＭデータが更新された場合、該更新された情報により、ＰＩＭデータサーバ５００に含まれる、該ユーザ端末１００２のＰＩＭデータも更新される。
【００４０】
ユーザ端末１００２は、基地局２００２によりカバーされるセル２５０２に在圏する。ユーザ端末１００２は、加入者情報管理サーバ６００に、在圏している基地局を表す情報を通知する。
【００４１】
ユーザ端末１００１、１００２は、ユーザが通信することができる適切な如何なる移動機でもよく、例えば、携帯電話、情報端末、パーソナルディジタルアシスタント、携帯用パーソナルコンピュータ等が含まれるが、これらに限定されない。
【００４２】
無線通信システムは、主に無線アクセス制御を行う無線アクセスネットワーク（ＲＡＮ）（図示なし）と、移動管理、呼制御、サービス制御等を行うコアネットワーク（ＣＮ）９００に分類される。本実施例では、本願に特に関連するコアネットワーク（ＣＮ）９００について主に説明され、無線アクセスネットワークについての説明は省略される。
【００４３】
ＲＡＮには、無線基地局（ＢＴＳ：  Ｂａｓｅ  Ｔｒａｎｓｃｅｉｖｅｒ  Ｓｔａｔｉｏｎ）２００１（２００２）及び無線ネットワーク制御装置（ＲＮＣ：Ｒａｄｉｏ  Ｎｅｔｗｏｒｋ  Ｃｏｎｔｒｏｌｌｅｒ）（図示なし）が含まれる。
【００４４】
ＣＮ９００は、回線交換（ＣＳ：  Ｃｉｒｃｕｉｔ  Ｓｗｉｔｃｈｅｄ）ドメイン、パケット交換（ＰＳ：  Ｐａｃｋｅｔ  Ｓｗｉｔｃｈｅｄ）ドメインから構成される。一般に、ＣＳドメインは音声系サービスを提供し、ＰＳドメインはデータ通信系サービスを提供する。
【００４５】
交換機４００１（４００２）には、ＰＩＭデータサーバ５００、加入者情報管理サーバ６００、ＰＩＭデータ照合サーバ７００、及び災害情報管理サーバ８００が接続される。
【００４６】
交換機４００１には基地局２００１が接続され、交換機４００２には基地局２００２が接続される。
【００４７】
また、ＰＩＭデータサーバ５００は、ＰＩＭデータ照合サーバ７００との間で、ＰＩＭデータに関して同期を取る。具体的には、ユーザ端末１００１の有するＰＩＭデータが更新されることによりＰＩＭデータサーバ５００の該ユーザ端末１００１のＰＩＭデータが更新された場合、該更新された情報により、ＰＩＭデータ照合サーバ７００における、該ユーザ端末１００１のＰＩＭデータも更新される。また、ユーザ端末１００２の有するＰＩＭデータが更新されることによりＰＩＭデータサーバ５００の該ユーザ端末１００２のＰＩＭデータが更新された場合、該更新された情報により、ＰＩＭデータ照合サーバ７００における、該ユーザ端末１００２のＰＩＭデータも更新される。
【００４８】
大規模災害が発生すると、ＰＩＭデータ照合サーバ７００は、災害情報管理サーバ８００から被災地情報を取得する。該大規模災害には、地震や、津波等が含まれる。ユーザ端末１００１から、親戚等が被災地周辺にいるかどうかを問い合わせるための操作が行われることにより、ＰＩＭデータ照合サーバ７００が動作を開始するようにしてもよい。また、災害が発生した際に、災害情報管理サーバ８００により動作を開始する命令が行われた場合、該命令に従って動作を開始するようにしてもよい。
【００４９】
ＰＩＭデータ照合サーバ７００は、被災地情報に含まれるべき被災地のエリアを表す情報に基づいて、該被災地基地局を特定する。また、ＰＩＭデータ照合サーバ７００は、加入者情報管理サーバ６００から、被災地基地局に在圏するユーザ端末を表す情報を取得する。具体的には、ＰＩＭデータ照合サーバ７００は、加入者情報管理サーバ６００に、災害情報管理サーバ８００から取得した被災地情報に含まれるべき被災地のエリアに基づいて特定された被災地基地局を表す情報を通知する。加入者情報管理サーバ６００は、ＰＩＭデータ照合サーバ７００からの被災地基地局を表す情報に基づいて、該被災地基地局に在圏しているユーザ端末の加入者情報を応答する。ＰＩＭデータ照合サーバ７００は、被災地基地局に在圏しているユーザ端末の加入者情報を取得する。
【００５０】
ＰＩＭデータ照合サーバ７００は、ＰＩＭデータサーバ５００に格納されているＰＩＭデータのうち、被災地基地局に在圏しているユーザ端末の加入者情報を含むＰＩＭデータがあるかどうかを判定する。
【００５１】
ＰＩＭデータ照合サーバ７００は、被災地基地局に在圏しているユーザ端末の加入者情報を含むＰＩＭデータを有するユーザ端末があると判定した場合、該ＰＩＭデータを有するユーザ端末に通知する。
【００５２】
＜ＰＩＭデータ照合サーバ＞
図５は、ＰＩＭデータ照合サーバ７００の一実施例を示す。図５には、主にハードウェア構成が示される。
【００５３】
ＰＩＭデータ照合サーバ７００は、中央演算処理装置（ＣＰＵ：  Ｃｅｎｔｒａｌ  Ｐｒｏｃｅｓｓｉｎｇ  Ｕｎｉｔ）７０２と、記憶装置７０４と、入力装置７０６と、出力装置７０８とを有する。各装置は、バス７５０により接続される。
【００５４】
ＣＰＵ７０２は、記憶装置７０４、入力装置７０６、及び出力装置７０８の制御を行う。ＣＰＵ７０２は、記憶装置７０４に記憶されたプログラムに従って機能し、所定の処理を行う。
【００５５】
記憶装置７０４は、各種アプリケーションと、各種サービスと、オペレーティングシステム（ＯＳ：  Ｏｐｅｒａｔｉｎｇ  Ｓｙｓｔｅｍ）と、各種ドライバーとを有する。例えば、記憶装置７０４は、コンピュータ内でデータやプログラムを記憶する外部記憶装置である。例えば、ハードディスク（ｈａｒｄ  ｄｉｓｋ、  ｆｉｘｅｄ  ｄｉｓｋ）やフレキシブルディスク（Ｆｌｅｘｉｂｌｅ  Ｄｉｓｋ）、ＭＯ（Ｍａｇｎｅｔｏ−Ｏｐｔｉｃａｌ  ｄｉｓｋ）、ＣＤ−Ｒ（Ｃｏｍｐａｃｔ  Ｄｉｓｋ  Ｒｅｃｏｒｄａｂｌｅ）、磁気テープなどが含まれる。
【００５６】
アプリケーションは、ＰＩＭデータ照合サーバ７００上で実行される処理を実施する機能を有するソフトウェアである。
【００５７】
オペレーティングシステムは、ＰＩＭデータ照合サーバ７００において、ハードウェアを抽象化したインターフェースをアプリケーションソフトウェアに提供するソフトウェアである。
【００５８】
入力装置７０６は、例えば、キーボードやタッチパネル等により構成され、当該ＰＩＭデータ照合サーバ７００への指示や、データの入力を行うための装置である。該指示は、オペレーティングシステムに対するものや、アプリケーションに対するものが含まれる。
【００５９】
出力装置７０８は、例えば、ディスプレイにより構成され、当該ＰＩＭデータ照合サーバ７００による処理状態や処理結果を表示する。該処理状態や処理結果には、オペレーティングシステムやアプリケーションによるものが含まれる。ディスプレイには、液晶ディスプレイ（ＬＣＤ：  Ｌｉｑｕｉｄ  Ｃｒｙｓｔａｌ  Ｄｉｓｐｌａｙ）、ＣＲＴ（Ｃａｔｈｏｄ  Ｒａｙ  Ｔｕｂｅ）ディスプレイ、プラズマ（ＰＤＰ：  Ｐｌａｓｍａ  Ｄｉｓｐｌａｙ  Ｐａｎｅｌ）ディスプレイ、有機ＥＬ（Ｅｌｅｃｔｒｏ−Ｌｕｍｉｎｅｓｃｅｎｃｅ）ディスプレイなどが含まれる。
【００６０】
＜ＰＩＭデータ照合サーバの機能＞
図６は、ＰＩＭデータ照合サーバ７００の一実施例の機能ブロック図を示す。図６には、ＣＰＵ７０２により実行される機能が主に示される。具体的には、ＣＰＵ７０２が、記憶装置７０４に格納されたＰＩＭデータ照合プログラムに従って機能することにより、実行される。
【００６１】
ＰＩＭデータ照合サーバ７００は、ＰＩＭデータ同期処理部７０２２と、ＰＩＭデータ保持部７０２４と、災害情報取得部７０２６と、加入者情報データ取得部７０２８と、加入者情報データ保持部７０３０と、ＰＩＭデータ照合部７０３２と、ＰＩＭデータ一致データ処理部７０３４と、メッセージ送信部７０３６とを有する。
【００６２】
ＰＩＭデータ同期処理部７０２２は、ＰＩＭデータサーバ５００との間で、ＰＩＭデータの同期を取る処理を行う。具体的には、ＰＩＭデータ同期処理部７０２２は、定期的又は不定期に、ＰＩＭデータサーバ５００に、ＰＩＭデータを問い合わせるようにしてもよい。ＰＩＭデータ同期処理部７０２２は、ＰＩＭデータ保持部７０２４に、ＰＩＭデータサーバ５００からのＰＩＭデータを格納する。ＰＩＭデータ同期処理部７０２２は、ＰＩＭデータサーバ５００との間でＰＩＭデータの同期を取る際に、ＰＩＭデータサーバ５００から、全ＰＩＭデータを取得するようにしてもよいし、前回の問い合わせから更新されたＰＩＭデータの差分情報を取得するようにしてもよい。ＰＩＭデータ同期処理部７０２２は、ＰＩＭデータ保持部７０２４に、全ＰＩＭデータ又は前回の問い合わせから更新されたＰＩＭデータを格納することにより更新するようにしてもよい。
【００６３】
ＰＩＭデータ保持部７０２４は、ＰＩＭデータ同期処理部７０２２と接続される。ＰＩＭデータ保持部７０２４は、ＰＩＭデータ同期処理部７０２２により入力されるべきＰＩＭデータを格納する。
【００６４】
災害情報取得部７０２６は、大規模災害が発生した際に、災害情報管理サーバ８００から被災地情報を取得する。具体的には、災害情報取得部７０２６は、大規模災害が発生した際に、災害情報管理サーバ８００に、被災地情報を要求するための被災地情報要求信号を送信する。災害情報取得部７０２６は、被災地情報要求信号に対する応答として、災害情報管理サーバ８００から送信された被災地情報を受信する。この場合、災害情報管理サーバ８００からの親戚等を通知するための命令に応じて、ＰＩＭデータ照合サーバ７００は、災害情報管理サーバ８００に、被災地情報要求信号を送信するようにしてもよい。また、ユーザ端末１００１からの問い合わせに応じて、ＰＩＭデータ照合サーバ７００は、災害情報管理サーバ８００に、被災地情報要求信号を送信するようにしてもよい。災害情報取得部７０２６は、加入者情報データ取得部７０２８に、災害情報管理サーバ８００からの被災地情報を入力する。
【００６５】
加入者情報データ取得部７０２８は、災害情報取得部７０２６と接続される。加入者情報データ取得部７０２８は、加入者情報管理サーバ６００に、被災地基地局に在圏するユーザ端末を問い合わせるために、被災地情報を含むユーザ端末情報要求信号を送信する。加入者情報データ取得部７０２８は、加入者情報管理サーバ６００から、被災地基地局に在圏するユーザ端末の加入者情報を取得する。該被災地基地局に在圏するユーザ端末の加入者情報は、ユーザ端末情報要求に対する応答として送信されたものであってもよい。加入者情報データ取得部７０２８は、加入者情報データ保持部７０３０に、加入者情報管理サーバ６００からの被災地基地局に在圏するユーザ端末の加入者情報を入力する。
【００６６】
加入者情報データ保持部７０３０は、加入者情報データ取得部７０２８と接続される。加入者情報データ保持部７０３０は、加入者情報データ取得部７０２８からの被災地基地局に在圏するユーザ端末の加入者情報を格納する。
【００６７】
ＰＩＭデータ照合部７０３２は、ＰＩＭデータ保持部７０２４と、加入者情報データ保持部７０３０と接続される。ＰＩＭデータ照合部７０３２は、ＰＩＭデータ保持部７０２４に格納されたＰＩＭデータのうち、加入者情報データ保持部７０３０に格納された加入者情報を含むＰＩＭデータがあるかどうかを判定する。ＰＩＭデータ照合部７０３２は、ＰＩＭデータ一致データ処理部７０３４に、ＰＩＭデータ保持部７０２４に格納されたＰＩＭデータのうち、加入者情報データ保持部７０３０に格納された加入者情報を含むＰＩＭデータがあるかどうかの判定結果と、該判定結果が加入者情報を含むＰＩＭデータがあることを表す場合には、該加入者情報を含むＰＩＭデータを入力する。
【００６８】
ＰＩＭデータ一致データ処理部７０３４は、ＰＩＭデータ照合部７０３２と接続される。ＰＩＭデータ一致データ処理部７０３４は、ＰＩＭデータ照合部７０３２からの判定結果に基づいて、該判定結果が加入者情報を含むＰＩＭデータがあることを表す場合に、加入者情報を含むＰＩＭデータを有するユーザ端末を特定する。ＰＩＭデータ一致データ処理部７０３４は、メッセージ送信部７０３６に、特定されたユーザ端末を表す情報と、ＰＩＭデータに含まれる加入者情報とを入力する。
【００６９】
メッセージ送信部７０３６は、ＰＩＭデータ一致データ処理部７０３４と接続される。メッセージ送信部７０３６は、ＰＩＭデータ一致データ処理部７０３４からの特定されたユーザ端末を表す情報と、ＰＩＭデータに含まれる加入者情報とに基づいて、特定されたユーザ端末に、加入者情報に該当するユーザを表す情報を送信する。メッセージ送信部７０３６は、ＣＳ回線を利用して通知してもよいし、ＰＳ回線を利用して通知してもよい。具体的には、メッセージ送信部７０３６は、ＰＩＭデータに含まれる親戚等が、被災地のエリアにいることを通知する。
【００７０】
また、メッセージ送信部７０３６は、ＰＩＭデータ一致データ処理部７０３４からの特定されたユーザ端末を表す情報と、ＰＩＭデータに含まれる加入者情報とに基づいて、特定されたユーザ端末に、災害用伝言板などを確認するように促すようにしてもよい。具体的には、災害伝言板にアクセスすることを要求するメッセージが送信されてもよい。
【００７１】
＜無線通信システムの動作＞
図７は、無線通信システムの動作の一実施例を示すシーケンスチャートである。
【００７２】
ユーザ端末１００１と、ＰＩＭデータサーバ５００との間で、ＰＩＭデータの同期が実行される（ステップＳ７０２）。具体的には、ＰＩＭデータサーバ５００からユーザ端末１００１に定期的又は不定期に、ＰＩＭデータを問い合わせるようにしてもよい。また、ユーザ端末１００１から定期的又は不定期に、ＰＩＭデータサーバ５００に、ＰＩＭデータを通知するようにしてもよい。ユーザ端末１００１は、ＰＩＭデータが更新された際に、ＰＩＭデータサーバ５００に通知するようにしてもよい。
【００７３】
ＰＩＭデータサーバ５００と、ＰＩＭデータ照合サーバ７００との間で、ＰＩＭデータの同期が実行される（ステップＳ７０４）。具体的には、ＰＩＭデータ照合サーバ７００からＰＩＭデータサーバ５００に定期的又は不定期に、ＰＩＭデータを問い合わせるようにしてもよい。また、ＰＩＭデータサーバ５００から定期的又は不定期に、ＰＩＭデータ照合サーバ７００に、ＰＩＭデータを通知するようにしてもよい。ＰＩＭデータサーバ５００は、ＰＩＭデータが更新された際に、ＰＩＭデータ照合サーバ７００に通知するようにしてもよい。
【００７４】
一方、ユーザ端末１００２は、加入者情報管理サーバ６００に、在圏基地局情報を通知する（ステップＳ７０６）。具体的には、ユーザ端末１００２から、加入者情報管理サーバ６００に、定期的又は不定期に、在圏基地局情報を通知するようにしてもよい。また、ユーザ端末１００２は、在圏する際、在圏する基地局を変更した際に、加入者情報管理サーバ６００に、在圏基地局情報を通知するようにしてもよい。
【００７５】
加入者情報管理サーバ６００は、ユーザ端末１００２の加入者情報と、該ユーザ端末１００２から通知された在圏基地局情報とを対応付けて格納する。
【００７６】
ステップＳ７０２−Ｓ７０６の処理は、大規模災害が発生したかどうかにかかわらず、定期的又は不定期に実行されてもよい。
【００７７】
大規模災害が発生する。大規模災害が発生すると、災害情報管理サーバ８００に、被災地情報が収集される。
【００７８】
ＰＩＭデータ照合サーバ７００は、災害情報管理サーバ８００に、被災地情報要求信号を送信する（ステップＳ７０８）。つまり、災害情報取得部７０２６は、災害情報管理サーバ８００に、被災地情報要求信号を送信する。
【００７９】
災害情報管理サーバ８００は、ＰＩＭデータ照合サーバ７００からの被災地情報要求信号に対する応答として、被災地情報を通知する（ステップＳ７１０）。
【００８０】
ＰＩＭデータ照合サーバ７００は、加入者情報管理サーバ６００に、ユーザ端末情報要求信号を送信する（ステップＳ７１２）。つまり、加入者情報データ取得部７０２８は、加入者情報管理サーバ６００に、ユーザ端末情報要求信号を送信する。該ユーザ端末情報要求信号には、被災地情報が含まれる。
【００８１】
加入者情報管理サーバ６００は、ＰＩＭデータ照合サーバ７００からのユーザ端末情報要求信号に含まれる被災地情報に基づいて、被災地基地局に在圏するユーザ端末の加入者情報を通知する（ステップＳ７１４）。
【００８２】
ＰＩＭデータ照合サーバ７００は、加入者情報管理サーバ６００からの被災地基地局に在圏するユーザ端末の加入者情報を認識する（ステップＳ７１６）。つまり、加入者情報データ取得部７０２８は、加入者情報データ保持部７０３０に、加入者情報管理サーバ６００からの被災地基地局に在圏するユーザ端末の加入者情報を格納する。
【００８３】
ＰＩＭデータ照合サーバ７００は、ＰＩＭデータと、被災地基地局に在圏するユーザ端末の加入者情報とを照合する（ステップＳ７１８）。つまり、ＰＩＭデータ照合部７０３２は、ＰＩＭデータ保持部７０２４に格納されたＰＩＭデータと、加入者情報データ保持部７０３０に格納された被災地基地局に在圏するユーザ端末の加入者情報とを照合する。具体的には、ＰＩＭデータ照合部７０３２は、ＰＩＭデータ保持部７０２４に格納されたＰＩＭデータと、被災地基地局に在圏するユーザ端末の加入者情報とを照合する。
【００８４】
ＰＩＭデータ照合サーバ７００は、ＰＩＭデータ保持部７０２４に格納されたＰＩＭデータのうち、被災地基地局に在圏するユーザ端末の加入者情報を含むＰＩＭデータがあるかどうかを判定する（ステップＳ７２０）。具体的には、ＰＩＭデータ照合部７０３２は、ＰＩＭデータ保持部７０２４に格納されたＰＩＭデータのうち、被災地基地局に在圏するユーザ端末の加入者情報を含むＰＩＭデータがあるかどうかを判定する。
【００８５】
被災地基地局に在圏するユーザ端末の加入者情報を含むＰＩＭデータがあると判定された場合（ステップＳ７２０：ＹＥＳ）、ＰＩＭデータ照合サーバ７００は、該被災地基地局に在圏するユーザ端末の加入者情報を含むＰＩＭデータを有するユーザ端末に通知するメッセージを作成し、通知する（ステップＳ７２２）。つまり、被災地基地局に在圏するユーザ端末の加入者情報を含むＰＩＭデータがあると判定された場合、ＰＩＭデータ照合部７０３２は、ＰＩＭデータ一致データ処理部７０３４に、被災地基地局に在圏するユーザ端末の加入者情報を含むＰＩＭデータがあることを表す判定結果と、該加入者情報を含むＰＩＭデータを入力する。ＰＩＭデータ一致データ処理部７０３４は、判定結果が、被災地基地局に在圏するユーザ端末の加入者情報を含むＰＩＭデータがあることを表すものである場合には、該加入者情報を含むＰＩＭデータに基づいて、該ＰＩＭデータを有するユーザ端末を特定する。ＰＩＭデータ一致データ処理部７０３４は、該ＰＩＭデータを有するユーザ端末宛にメッセージを作成する。該メッセージには、該ＰＩＭデータに含まれる加入者情報に対応する被災地基地局に在圏するユーザ端末のユーザを表す情報が含まれる。ＰＩＭデータ一致データ処理部７０３４は、メッセージ送信部７０３６に、メッセージを入力する。メッセージ送信部７０３６は、ＰＩＭデータ一致データ処理部７０３４により入力されたメッセージを送信する。
【００８６】
ＰＩＭデータ照合サーバ７００からのメッセージを受信したユーザ端末１００１のユーザは、該メッセージに含まれる被災地基地局に在圏するユーザ端末のユーザを参照することにより、親戚等が被災地のエリアにいることが分かる（ステップＳ７２４）。
【００８７】
一方、被災地基地局に在圏するユーザ端末の加入者情報を含むＰＩＭデータがあると判定されない場合（ステップＳ７２０：ＮＯ）、終了する（ステップＳ７２６）。ＰＩＭデータ照合サーバ７００は、当該ＰＩＭデータ照合サーバ７００に格納されたＰＩＭデータを有するユーザ端末に通知するメッセージを作成し、通知するようにしてもよい。つまり、被災地基地局に在圏するユーザ端末の加入者情報を含むＰＩＭデータがあると判定されない場合、ＰＩＭデータ照合部７０３２は、ＰＩＭデータ一致データ処理部７０３４に、被災地基地局に在圏するユーザ端末の加入者情報を含むＰＩＭデータがないことを表す判定結果を入力する。ＰＩＭデータ一致データ処理部７０３４は、判定結果が、被災地基地局に在圏するユーザ端末の加入者情報を含むＰＩＭデータがないことを表すものである場合には、当該ＰＩＭデータ照合サーバ７００に格納されたＰＩＭデータを有するユーザ端末宛にメッセージを作成する。該メッセージには、被災地のエリアには、親戚等はいないことを表す情報が含まれる。ＰＩＭデータ一致データ処理部７０３４は、メッセージ送信部７０３６に、メッセージを入力する。メッセージ送信部７０３６は、ＰＩＭデータ一致データ処理部７０３４により入力されたメッセージを送信する。
【００８８】
ＰＩＭデータ照合サーバ７００からのメッセージを受信したユーザ端末１００１のユーザは、該メッセージを参照することにより、親戚等が被災地のエリアにいないことが分かる。
【００８９】
ステップＳ７０２の処理は、ユーザ端末１００１の有するＣＰＵ（図示なし）により実行される。ステップＳ７０２、及びＳ７０４の処理は、ＰＩＭデータサーバ５００の有するＣＰＵ（図示なし）により実行される。ステップＳ７０４、Ｓ７０８、Ｓ７１２、Ｓ７１６−Ｓ７２２、及びＳ７２６の処理は、ＰＩＭデータ照合サーバ７００の有するＣＰＵ７０２により実行される。また、ステップＳ７０６の処理は、ユーザ端末１００２の有するＣＰＵ（図示無し）により実行される。また、ステップＳ７１０の処理は、災害情報管理サーバ８００の有するＣＰＵ（図示無し）により実行される。また、ステップＳ７１４の処理は、加入者情報管理サーバ６００の有するＣＰＵ（図示無し）により実行される。
【００９０】
ＣＰＵをユーザ端末１００１、及び１００２、ＰＩＭデータサーバ５００、ＰＩＭデータ照合サーバ７００、災害情報管理サーバ８００、加入者情報管理サーバ６００として機能させるためのプログラムは、例えば、フレキシブルディスク、ＣＤ−ＲＯＭ、メモリカード等の記録媒体に記録された状態で提供される。また、プログラムを、通信網を介してダウンロードするようにしてもよい。この記録媒体をコンピュータの補助記憶装置に挿入すると、記録媒体に記録されたプログラムが読み取られる。ＣＰＵは、読み込んだプログラムをＲＡＭあるいはＨＤＤに書き込み、処理を実行する。プログラムは、コンピュータに、図７の各ステップＳ７０２−Ｓ７２６を実行させる。また、例えば、プログラムは、少なくとも一部のステップを実行されるようにしてもよい。
【００９１】
本実施例によれば、大規模災害が起きた際、あるユーザ端末のＰＩＭデータに登録されている人が該災害地周辺にいたかどうかを，該あるユーザ端末のユーザに自動的に通知することができる。ＰＩＭデータには、電話帳が含まれる。
【００９２】
普段は被災地付近に居住している親戚等が偶然被災地付近にいなかった場合には、被災地付近にいなかったことを通知することができる。このため、被災地付近へ直接連絡を取ることができない輻輳の場合であっても、安否確認を迅速に行なうことができる。
【００９３】
＜変形例＞
＜無線通信システム＞
無線通信システムの一実施例は、図１−図４と略同一である。
【００９４】
ＰＩＭデータ照合サーバ７００は、当該ＰＩＭデータ照合サーバ７００に保持されるＰＩＭデータと、ＰＩＭデータサーバ５００に格納されるＰＩＭデータとの間で、災害が発生した際に同期を取る。つまり、ＰＩＭデータ照合サーバ７００は、災害が発生した際に、ＰＩＭデータサーバ５００に、ＰＩＭデータを要求する。災害が発生した際に、ＰＩＭデータサーバ５００にＰＩＭデータを要求するようにすることにより、ＰＩＭデータ照合サーバ７００と、ＰＩＭデータサーバ５００との間で、ＰＩＭデータに関して常に同期を取る処理が不要になるため、ＰＩＭデータ照合サーバ７００における処理負荷を低減できる。
【００９５】
＜ＰＩＭデータ照合サーバ＞
ＰＩＭデータ照合サーバ７００のハードウェア構成は、図５と略同一である。
【００９６】
＜ＰＩＭデータ照合サーバの機能＞
図８は、ＰＩＭデータ照合サーバ７００の一実施例を示す機能ブロック図である。
【００９７】
ＰＩＭデータ照合サーバ７００は、図６を参照して説明したＰＩＭデータ照合サーバ７００において、ＰＩＭデータ同期処理部７０２２の代わりにＰＩＭデータ取得部７０３８を有するようにしたものである。
【００９８】
ＰＩＭデータ取得部７０３８は、ＰＩＭデータサーバ５００に、ＰＩＭデータを要求する。具体的には、ＰＩＭデータ取得部７０３８は、災害が発生した際に、ＰＩＭデータサーバ５００に、ＰＩＭデータを要求するようにしてもよい。ＰＩＭデータ取得部７０３８は、ＰＩＭデータ保持部７０２４に、ＰＩＭデータサーバ５００からのＰＩＭデータを格納する。ＰＩＭデータ取得部７０３８は、ＰＩＭデータサーバ５００に、全ＰＩＭデータを要求するようにしてもよいし、前回の要求から更新されたＰＩＭデータの差分情報を要求するようにしてもよい。ＰＩＭデータ取得部７０３８は、ＰＩＭデータ保持部７０４に、全ＰＩＭデータ又は前回の要求から更新されたＰＩＭデータを格納するようにしてもよい。
【００９９】
＜無線通信システムの動作＞
図９は、無線通信システムの動作の一実施例を示すシーケンスチャートである。
【０１００】
ユーザ端末１００１と、ＰＩＭデータサーバ５００との間で、ＰＩＭデータの同期が実行される（ステップＳ９０２）。具体的には、ＰＩＭデータサーバ５００からユーザ端末１００１に定期的又は不定期に、ＰＩＭデータを問い合わせるようにしてもよい。また、ユーザ端末１００１から定期的又は不定期に、ＰＩＭデータサーバ５００に、ＰＩＭデータを通知するようにしてもよい。ユーザ端末１００１は、ＰＩＭデータが更新された際に、ＰＩＭデータサーバ５００に通知するようにしてもよい。
【０１０１】
一方、ユーザ端末１００２は、加入者情報管理サーバ６００に、在圏基地局情報を通知する（ステップＳ９０４）。具体的には、ユーザ端末１００２から、加入者情報管理サーバ６００に、定期的又は不定期に、在圏基地局情報を通知するようにしてもよい。また、ユーザ端末１００２は、在圏する際、在圏する基地局を変更した際に、加入者情報管理サーバ６００に、在圏基地局情報を通知するようにしてもよい。
【０１０２】
加入者情報管理サーバ６００は、ユーザ端末１００２の加入者情報と、該ユーザ端末１００２から通知された在圏基地局情報とを対応付けて格納する。
【０１０３】
ステップＳ９０２−Ｓ９０４の処理は、大規模災害が発生したかどうかにかかわらず、定期的又は不定期に実行されてもよい。
【０１０４】
大規模災害が発生すると、災害情報管理サーバ８００に、被災地情報が収集される。
【０１０５】
ＰＩＭデータ照合サーバ７００は、災害情報管理サーバ８００に、被災地情報要求信号を送信する（ステップＳ９０６）。つまり、災害情報取得部７０２６は、災害情報管理サーバ８００に、被災地情報要求信号を送信する。
【０１０６】
災害情報管理サーバ８００は、ＰＩＭデータ照合サーバ７００からの被災地情報要求信号に対する応答として、被災地情報を通知する（ステップＳ９０８）。
【０１０７】
ＰＩＭデータ照合サーバ７００は、ＰＩＭデータサーバ５００に、ＰＩＭデータ要求を送信する（ステップＳ９１０）。つまり、ＰＩＭデータ取得部７０３８は、ＰＩＭデータサーバ５００に、ＰＩＭデータ要求を送信する。
【０１０８】
ＰＩＭデータサーバ５００は、ＰＩＭデータ照合サーバ７００からのＰＩＭデータ要求に対する応答として、ＰＩＭデータを送信する（ステップＳ９１２）。ＰＩＭデータ照合サーバ７００は、ＰＩＭデータサーバ５００からのＰＩＭデータを保持する。
【０１０９】
ステップＳ９１４−Ｓ９２８の処理は、図７を参照して説明したステップＳ７１２−Ｓ７２６と同様である。
【０１１０】
ステップＳ９０２の処理は、ユーザ端末１００１の有するＣＰＵ（図示なし）により実行される。ステップＳ９０２、及びＳ９１２の処理は、ＰＩＭデータサーバ５００の有するＣＰＵ（図示なし）により実行される。ステップＳ９０６、Ｓ９１０、Ｓ９１４、Ｓ９１８−Ｓ９２４、及びＳ９２８の処理は、ＰＩＭデータ照合サーバ７００の有するＣＰＵ７０２により実行される。また、ステップＳ９０４の処理は、ユーザ端末１００２の有するＣＰＵ（図示無し）により実行される。また、ステップＳ９０８の処理は、災害情報管理サーバ８００の有するＣＰＵ（図示無し）により実行される。また、ステップＳ９１６の処理は、加入者情報管理サーバ６００の有するＣＰＵ（図示無し）により実行される。
【０１１１】
ＣＰＵをユーザ端末１００１、及び１００２、ＰＩＭデータサーバ５００、ＰＩＭデータ照合サーバ７００、災害情報管理サーバ８００、加入者情報管理サーバ６００として機能させるためのプログラムは、例えば、フレキシブルディスク、ＣＤ−ＲＯＭ、メモリカード等の記録媒体に記録された状態で提供される。また、プログラムを、通信網を介してダウンロードするようにしてもよい。この記録媒体をコンピュータの補助記憶装置に挿入すると、記録媒体に記録されたプログラムが読み取られる。ＣＰＵは、読み込んだプログラムをＲＡＭあるいはＨＤＤに書き込み、処理を実行する。プログラムは、コンピュータに、図９の各ステップＳ９０２−Ｓ９２８を実行させる。また、例えば、プログラムは、少なくとも一部のステップを実行されるようにしてもよい。
【０１１２】
本実施例によれば、災害が発生した際に、ＰＩＭデータ照合サーバ７００は、ＰＩＭデータサーバ５００に、ＰＩＭデータを要求するため、ＰＩＭデータ照合サーバ７００と、ＰＩＭデータサーバ５００との間で常に、ＰＩＭデータを同期しておく必要はない。
【０１１３】
上述した実施例及び変形例は、大規模災害が発生した場合に限られず、所定の事象が発生した場合に動作するようにしてもよい。該所定の事象は、予め設定された事象であってもよい。
【０１１４】
説明の便宜上、発明の理解を促すため具体的な数値例を用いて説明されるが、特に断りのない限り、それらの数値は単なる一例に過ぎず適切な如何なる値が使用されてよい。
【０１１５】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【０１１６】
１００１、１００２  ユーザ端末
２００１、２００２  基地局
２５０１、２５０２  セル
４００１、４００２  交換機
５００  ＰＩＭデータサーバ
６００  加入者情報管理サーバ
７００  ＰＩＭデータ照合サーバ
７０２  ＣＰＵ
７０４  記憶装置
７０６  入力装置
７０８  出力装置
７５０  バス
８００  災害情報管理サーバ
９００  コアネットワーク
９５０  バス
７０２２  ＰＩＭデータ同期処理部
７０２４  ＰＩＭデータ保持部
７０２６  災害情報取得部
７０２８  加入者情報データ取得部
７０３０  加入者情報データ保持部
７０３２  ＰＩＭデータ照合部
７０３４  ＰＩＭデータ一致データ処理部
７０３６  メッセージ送信部
７０３８  ＰＩＭデータ取得部
【図２】
0005591192.tif 000002
【図３】
0005591192.tif 000003
【図４】
0005591192.tif 000004
【図５】
0005591192.tif 000005
【図６】
0005591192.tif 000006
【図７】
0005591192.tif 000007
【図８】
0005591192.tif 000008
【図９】
0005591192.tif 000009
【図１】
0005591192.tif 000010